【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
中心部と、前記中心部に接続された第１および第２のテーパ部を含むバルーンであって、前記バルーンの第１の端部から前記バルーンの第２の端部へと延在する長手方向軸を含むバルーンと、
前記中心部に沿って前記長手方向軸に実質的に平行に、かつ前記第１および第２のテーパ部の少なくとも１つの少なくとも一部の周りを半径方向に延在する単一の連続繊維と、を備え、
前記バルーンの前記中心部の周りを半径方向に延在する第２の繊維をさらに含む、医療用器具。
【請求項２】
第２の繊維が前記単一の連続繊維の一部である、請求項１に記載の器具。
【請求項３】
前記単一の連続繊維は、複数の第１の繊維ストランドを備える、請求項１に記載の器具。
【請求項４】
前記ストランドは、前記第１および第２のテーパ部の少なくとも一部の周りに半径方向に延在するように、前記複数の第１の繊維ストランドの各ストランドが、前記バルーンの前記長手方向軸に対して約３５から９０度の角度で延在する、請求項３に記載の器具。
【請求項５】
前記複数の第１の繊維ストランドの各ストランドは、前記テーパ部の少なくとも一部の周りの半径方向への延在から、前記第１および第２のテーパ部の前記長手方向軸と実質的に平行な延在へと変化する、請求項３または４に記載の器具。
【請求項６】
前記少なくとも１つの第２の繊維は、前記第２の繊維が前記中心部の周りに半径方向に延在するように、前記バルーンの前記長手方向軸に対して約８０度から９０度の角度で延在する、請求項１から５のいずれか一項に記載の器具。
【請求項７】
前記第２の繊維は、前記第１および第２のテーパ部の周りに、前記中心部の周りの前記第２の繊維ストランドのピッチよりも低ピッチにて延在する、請求項１から６のいずれか一項に記載の器具。
【請求項８】
前記少なくとも１つの第２の繊維が前記第１の繊維の上に延在する、請求項１から７のいずれか一項に記載の器具。
【請求項９】
前記少なくとも１つの第２の繊維が、前記第１の繊維の第１の部分の上に延在し、前記第１の繊維の第２の部分の下に延在する、請求項１に記載の器具。
【請求項１０】
前記第１の繊維の前記第１の部分は、前記バルーンの前半上にあり、前記第１の繊維の前記第２の部分が前記バルーンの後半上にある、請求項９に記載の器具。
【請求項１１】
前記バルーンの前記第１の端部から分離された位置の前記第１のテーパ部で始まる第３の繊維をさらに備える、請求項１から１０のいずれか一項に記載の器具。
【請求項１２】
前記第３の繊維が前記第１の単一の連続繊維の一部である、請求項１１に記載の器具。
【請求項１３】
単一の連続繊維は、前記バルーンの前記第１および第２のテーパ部の両方の周りに半径方向に延在する、請求項１に記載の器具。
【請求項１４】
中心部と、前記中心部に接続された第１および第２のテーパ部とを含むバルーンであって、前記バルーンの第１の端部から前記バルーンの第２の端部に延在する長手方向軸を備えるバルーンと、
前記中心部に沿った前記長手方向軸と実質的に平行に、前記第１のテーパ部の周りに半径方向に、前記長手方向軸に実質的に平行に、前記第２のテーパ部の周りに半径方向に延びる単一の連続繊維と、を備える、医療用器具。
【請求項１５】
中心部と、前記中心部に接続された、第１および第２のテーパ部を含むバルーンであって、前記バルーンの第１の端部から前記バルーンの第２の端部に延在する長手方向軸を含むバルーンと、
前記中心部に沿った前記長手方向軸と実質的に平行に延在する第１の繊維と、前記第１のテーパ部の周りに半径方向に延在する第２の繊維とを含む不織繊維層と、を備える、医療用器具。
【請求項１６】
前記第１の繊維および前記第２の繊維は、単一の連続繊維の一部を形成する、請求項１５に記載の器具。
【請求項１７】
繊維強化された医療用バルーンであって、
概して円柱状の中心部と、
前記バルーンの第１の端部から前記バルーンの第２の端部へと延在する、中心の長手方向軸に沿った前記概して円柱状の中心部に接続された、第１および第２の概して円錐形状の部分と、
前記バルーンの前記第１の端部から前記バルーンの前記第２の端部へと延在する複数の第１の繊維ストランドであって、前記複数の第１の繊維ストランドのそれぞれのストランドが、前記概して円柱状の中心部を通る前記長手方向軸に実質的に平行に、かつ、前記第１および第２の概して円錐形状の部分の少なくとも一部の周りに半径方向に延びる、第１の繊維ストランドと、
前記概して円柱状の中心部の周りを半径方向に延在する、少なくとも１つの第２の繊維ストランドと、を備える、繊維強化された医療用バルーン。
【請求項１８】
前記複数の第１の繊維ストランドの前記ストランドは、単一の連続繊維のすべての部分である、請求項１７に記載の繊維強化された医療用バルーン。
【請求項１９】
前記複数の第１の繊維ストランドのストランドと、前記少なくとも１つの第２の繊維ストランドが、単一の連続繊維のすべての部分である、請求項１７に記載の繊維強化された医療用バルーン。
【請求項２０】
前記ストランドが、前記第１および第２の円錐形部の少なくとも一部分の周りに半径方向に延在するように、前記複数の第１の繊維ストランドの各ストランドが、前記バルーンの前記長手方向軸に対して約３５から９０度の角度で延在する、請求項１７に記載の繊維強化された医療用バルーン。
【請求項２１】
前記複数の第１の繊維ストランドの各ストランドは、前記円錐形部の少なくとも一部の周りの半径方向への延在から、前記第１および第２の円錐形部の前記長手方向軸と実質的に平行な延在へと変化する、請求項１７に記載の繊維強化された医療用バルーン。
【請求項２２】
前記少なくとも１つの第２の繊維ストランドは、前記ストランドが前記中心部の周りに半径方向に延在するように、前記バルーンの前記長手方向軸に対して約８０度から９０度の角度で延在する、請求項１７に記載の繊維強化された医療用バルーン。
【請求項２３】
前記少なくとも１つの第２の繊維ストランドは、前記第１および第２の円錐形部の周りに、前記中心部の周りの前記少なくとも１つの第２の繊維ストランドのピッチよりも低ピッチにて延在する、請求項１７に記載の繊維強化された医療用バルーン。
【請求項２４】
前記少なくとも１つの第２の繊維ストランドが、複数の第１の繊維ストランドのすべての前記ストランドの上に延在する、請求項１７に記載の繊維強化された医療用バルーン。
【請求項２５】
前記少なくとも１つの第２の繊維ストランドが、前記複数の第１の繊維ストランドの第１の部分の上に、および前記複数の第１の繊維ストランドの第２の部分の下に延在する、請求項１７に記載の繊維強化された医療用バルーン。
【請求項２６】
前記複数の第１の繊維の前記第１の部分が、前記バルーンの前半上にあり、前記複数の第１の繊維の前記第２の部分が前記バルーンの後半上にある、請求項２５に記載の繊維強化された医療用バルーン。
【請求項２７】
複数の第３の繊維ストランドをさらに備え、前記複数の第３の繊維ストランドは、前記バルーンの前記第１の端部から分離された箇所で、前記第１の概して円錐形状の部分で始まる、請求項１７に記載の繊維強化された医療用バルーン。
【請求項２８】
前記第１の繊維ストランドおよび前記第３の繊維ストランドの少なくとも一部分が、単一の連続繊維の一部分である、請求項２７に記載の繊維強化された医療用バルーン。
【請求項２９】
前記バルーンの前記第１の端部から前記バルーンの前記第２の端部に延在する中央の長手方向軸に沿って、概して円柱状の中心部と、前記概して円柱状の中心部に接続される第１および第２のテーパ部とを有する、繊維強化複合材料バルーンを製造する方法であって、
前記バルーンの前記長手方向軸に実質的に平行に延在する多倍長の単一の連続繊維を、前記概して円柱状の中心部に付けるステップと、
前記単一の連続繊維を前記第１および第２のテーパ部のうちの少なくとも１つに固定するステップと、を含み、
前記固定するステップが、前記単一の連続繊維を前記第１および第２のテーパ部のうちの１つまたは両方の周りに半径方向に巻くステップを含む、方法。
【請求項３０】
装置の異なる部分に長手方向に、かつ半径方向に付けられた単一の連続繊維を含む装置を備え、
前記装置がバルーンを備える、医療用器具。
【請求項３１】
長手方向軸と第１および第２の開放端部を有するバルーンと、
前記バルーンに接続された単一の連続繊維であって、前記長手方向軸に概して平行に延在する第１の通過部と、前記第１の通過部に概して平行に延在する第２の通過部とを有する単一の連続繊維と、を備え、
前記単一の連続繊維が前記バルーンの少なくとも一部に沿って半径方向に延在する、医療用器具。
【手続補正２】
【補正対象書類名】明細書
【補正対象項目名】００６６
【補正方法】変更
【補正の内容】
【００６６】
[0092]本明細書で単数として記載される任意の要素は、複数にされることは可能（即ち、「１つ」と記載される任意のものは、１つ以上であることが可能）であり、複数の要素は個別に使用され得る。要素、装置、方法またはそれらの組合せの単一のバリエーションの開示された特徴は、例えば、寸法、破裂圧、形状、材料またはそれらの組合せなどの、その他のバリエーションに使用または適用されることができる。属の要素の、任意の種の要素は、その属のその他の任意の種の要素の特徴または要素を有し得る。本発明を遂行する、上述した構成、要素または組図と方法とその要素と、本発明の態様のバリエーションは、任意の組合せで互いに組み合わされ、改良され得る。
以上説明したように、本発明は以下の形態を有する。
［形態１］
中心部と、前記中心部に接続された第１および第２のテーパ部を含むバルーンであって、前記バルーンの第１の端部から前記バルーンの第２の端部へと延在する長手方向軸を含むバルーンと、
前記中心部に沿って前記長手方向軸に実質的に平行に、かつ前記第１および第２のテーパ部の少なくとも１つの少なくとも一部の周りを半径方向に延在する単一の連続繊維と、を備える、医療用器具。
［形態２］
前記バルーンの前記中心部の周りを半径方向に延在する第２の繊維をさらに含む、形態１に記載の器具。
［形態３］
第２の繊維が前記単一の連続繊維の一部である、形態２に記載の器具。
［形態４］
前記単一の連続繊維は、複数の第１の繊維ストランドを備える、形態１または２に記載の器具。
［形態５］
前記ストランドは、前記第１および第２のテーパ部の少なくとも一部の周りに半径方向に延在するように、前記複数の第１の繊維ストランドの各ストランドが、前記バルーンの前記長手方向軸に対して約３５から９０度の角度で延在する、形態４に記載の器具。
［形態６］
前記複数の第１の繊維ストランドの各ストランドは、前記テーパ部の少なくとも一部の周りの半径方向への延在から、前記第１および第２のテーパ部の前記長手方向軸と実質的に平行な延在へと変化する、形態４または５に記載の器具。
［形態７］
前記少なくとも１つの第２の繊維は、前記第２の繊維が前記中心部の周りに半径方向に延在するように、前記バルーンの前記長手方向軸に対して約８０度から９０度の角度で延在する、形態２から６のいずれか一項に記載の器具。
［形態８］
前記第２の繊維は、前記第１および第２のテーパ部の周りに、前記中心部の周りの前記第２の繊維ストランドのピッチよりも低ピッチにて延在する、形態２から７のいずれか一項に記載の器具。
［形態９］
前記少なくとも１つの第２の繊維が前記第１の繊維の上に延在する、形態２から８のいずれか一項に記載の器具。
［形態１０］
前記少なくとも１つの第２の繊維が、前記第１の繊維の第１の部分の上に延在し、前記第１の繊維の第２の部分の下に延在する、形態１に記載の器具。
［形態１１］
前記第１の繊維の前記第１の部分は、前記バルーンの前半上にあり、前記第１の繊維の前記第２の部分が前記バルーンの後半上にある、形態１０に記載の器具。
［形態１２］
前記バルーンの前記第１の端部から分離された位置の前記第１のテーパ部で始まる第３の繊維をさらに備える、形態１から１１のいずれか一項に記載の器具。
［形態１３］
前記第３の繊維が前記第１の単一の連続繊維の一部である、形態１２に記載の器具。
［形態１４］
単一の連続繊維は、前記バルーンの前記第１および第２のテーパ部の両方の周りに半径方向に延在する、形態１に記載の器具。
［形態１５］
中心部と、前記中心部に接続された第１および第２のテーパ部とを含むバルーンであって、前記バルーンの第１の端部から前記バルーンの第２の端部に延在する長手方向軸を備えるバルーンと、
前記中心部に沿った前記長手方向軸と実質的に平行に、前記第１のテーパ部の周りに半径方向に、前記長手方向軸に実質的に平行に、前記第２のテーパ部の周りに半径方向に延びる単一の連続繊維と、を備える、医療用器具。
［形態１６］
中心部と、前記中心部に接続された、第１および第２のテーパ部を含むバルーンであって、前記バルーンの第１の端部から前記バルーンの第２の端部に延在する長手方向軸を含むバルーンと、
前記中心部に沿った前記長手方向軸と実質的に平行に延在する第１の繊維と、前記第１のテーパ部の周りに半径方向に延在する第２の繊維とを含む不織繊維層と、を備える、医療用器具。
［形態１７］
前記第１の繊維および前記第２の繊維は、単一の連続繊維の一部を形成する、形態１６に記載の器具。
［形態１８］
繊維強化された医療用バルーンであって、
概して円柱状の中心部と、
前記バルーンの第１の端部から前記バルーンの第２の端部へと延在する、中心の長手方向軸に沿った前記概して円柱状の中心部に接続された、第１および第２の概して円錐形状の部分と、
前記バルーンの前記第１の端部から前記バルーンの前記第２の端部へと延在する複数の第１の繊維ストランドであって、前記複数の第１の繊維ストランドのそれぞれのストランドが、前記概して円柱状の中心部を通る前記長手方向軸に実質的に平行に、かつ、前記第１および第２の概して円錐形状の部分の少なくとも一部の周りに半径方向に延びる、第１の繊維ストランドと、
前記概して円柱状の中心部の周りを半径方向に延在する、少なくとも１つの第２の繊維ストランドと、を備える、繊維強化された医療用バルーン。
［形態１９］
前記複数の第１の繊維ストランドの前記ストランドは、単一の連続繊維のすべての部分である、形態１８に記載の繊維強化された医療用バルーン。
［形態２０］
前記複数の第１の繊維ストランドのストランドと、前記少なくとも１つの第２の繊維ストランドが、単一の連続繊維のすべての部分である、形態１８に記載の繊維強化された医療用バルーン。
［形態２１］
前記ストランドが、前記第１および第２の円錐形部の少なくとも一部分の周りに半径方向に延在するように、前記複数の第１の繊維ストランドの各ストランドが、前記バルーンの前記長手方向軸に対して約３５から９０度の角度で延在する、形態１８に記載の繊維強化された医療用バルーン。
［形態２２］
前記複数の第１の繊維ストランドの各ストランドは、前記円錐形部の少なくとも一部の周りの半径方向への延在から、前記第１および第２の円錐形部の前記長手方向軸と実質的に平行な延在へと変化する、形態１８に記載の繊維強化された医療用バルーン。
［形態２３］
前記少なくとも１つの第２の繊維ストランドは、前記ストランドが前記中心部の周りに半径方向に延在するように、前記バルーンの前記長手方向軸に対して約８０度から９０度の角度で延在する、形態１８に記載の繊維強化された医療用バルーン。
［形態２４］
前記少なくとも１つの第２の繊維ストランドは、前記第１および第２の円錐形部の周りに、前記中心部の周りの前記少なくとも１つの第２の繊維ストランドのピッチよりも低ピッチにて延在する、形態１８に記載の繊維強化された医療用バルーン。
［形態２５］
前記少なくとも１つの第２の繊維ストランドが、複数の第１の繊維ストランドのすべての前記ストランドの上に延在する、形態１８に記載の繊維強化された医療用バルーン。
［形態２６］
前記少なくとも１つの第２の繊維ストランドが、前記複数の第１の繊維ストランドの第１の部分の上に、および前記複数の第１の繊維ストランドの第２の部分の下に延在する、形態１８に記載の繊維強化された医療用バルーン。
［形態２７］
前記複数の第１の繊維の前記第１の部分が、前記バルーンの前半上にあり、前記複数の第１の繊維の前記第２の部分が前記バルーンの後半上にある、形態２６に記載の繊維強化された医療用バルーン。
［形態２８］
複数の第３の繊維ストランドをさらに備え、前記複数の第３の繊維ストランドは、前記バルーンの前記第１の端部から分離された箇所で、前記第１の概して円錐形状の部分で始まる、形態１８に記載の繊維強化された医療用バルーン。
［形態２９］
前記第１の繊維ストランドおよび前記第３の繊維ストランドの少なくとも一部分が、単一の連続繊維の一部分である、形態２８に記載の繊維強化された医療用バルーン。
［形態３０］
バルーンの第１の端部から前記バルーンの第２の端部に延在する中央の長手方向軸に沿って、概して円柱状の中心部と、前記概して円柱状の中心部に接続される第１および第２のテーパ部を有する、繊維強化複合材料バルーンを製造する方法であって、
単一の連続繊維を、前記バルーンの前記長手方向軸に実質的に平行に延在する前記概して円柱状の中心部分に付けるステップと、
前記単一の連続繊維を、前記第１および第２のテーパ部のうちの少なくとも１つに付けるステップと、を含む方法。
［形態３１］
前記付けるステップは、前記第１および第２のテーパ部のうちの少なくとも１つの少なくとも一部の周りに半径方向に前記単一の連続繊維を付けるステップを含む、形態３０に記載の方法。
［形態３２］
前記バルーンの前記概して円柱状の中心部の周りを半径方向に延在する第２の繊維をさらに含む、形態３０に記載の方法。
［形態３３］
バルーンの第１の端部から前記バルーンの第２の端部に延在する中央の長手方向軸に沿って、概して円柱状の中心部と、前記概して円柱状の中心部に接続される第１および第２の概して円錐形状の部分を有する、繊維強化複合材料バルーンを製造する方法であって、
前記概して円柱状の中心部分内の前記バルーンの前記長手方向軸に実質的に平行に延在する複数の第１の繊維ストランドを形成するために、前記概して円柱状の中心部と第１および第２の概して円錐形状の部分を有するベース層に、単一の連続繊維を付けるステップを含む方法。
［形態３４］
前記単一の連続繊維の付着が、前記第１の円錐形部の周りに半径方向に前記繊維を巻くことにより、前記複数の第１の繊維ストランドの繊維ストランドを形成するステップと、
前記概して円柱状の中心部内の前記長手方向軸に実質的に平行に前記繊維を敷設するステップと、
前記バルーンの前記第１端部から前記バルーンの前記第２端部に、前記第２の概して円錐形状の部分の周りに半径方向に前記繊維を巻くステップと、を含む、形態３３に記載の方法。
［形態３５］
前記単一の連続繊維を付けるステップは、前記第２の概して円錐形状の部分の周りに半径方向に前記繊維を巻くように前記繊維を付ける前記方向を変化させることにより、前記複数の第１の繊維ストランドの別の繊維ストランドを形成するステップと、
前記概して円柱状の中心部内に、前記長手方向軸に実質的に平行に前記繊維を敷設するステップと、
前記バルーンの前記第２の端部から前記バルーンの前記第１の端部に、前記第１の概して円錐形状の部分の周りに半径方向に前記繊維を巻くステップと、をさらに含む、形態３４に記載の方法。
［形態３６］
少なくとも１つの第２の繊維ストランドを形成するために、前記単一の連続繊維を前記概して円柱状の中心部の周りに半径方向に巻くステップを含む、形態３３から３５のいずれか一項に記載の方法。
［形態３７］
少なくとも１つの第２の繊維ストランドを形成するために、前記概して円柱状の中心部の周りに半径方向に前記単一の連続繊維を巻くステップは、前記複数の第１のストランドの少なくとも一部の前記ストランドの上の前記概して円柱状の中心部の周りに半径方向に前記繊維を巻くステップを含む、形態３６に記載の方法。
［形態３８］
前記少なくとも１つの第２の繊維ストランドの上で前記複数の第１の繊維ストランドの第２部分を巻くステップをさらに含む、形態３６または３７に記載の方法。
［形態３９］
単一の連続繊維を付けるステップが、ベースマンドレル上に延在するブラダーに前記繊維を付着するために、溶媒和された熱的に接合可能な材料に前記繊維を浸漬するステップを含む、形態３０から３８のいずれか一項に記載の方法。
［形態４０］
前記単一の連続繊維を付けた後、前記バルーンの前記第１または第２の端部を切断するステップをさらに含む、形態３０から３９のいずれか一項に記載の方法。
［形態４１］
前記付着ステップ後に前記単一の連続繊維を切断するステップをさらに含む、形態３０から４０のいずれか一項に記載の方法。
［形態４２］
前記バルーンの前記第１の端部から前記バルーンの前記第２の端部に延在する中央の長手方向軸に沿って、概して円柱状の中心部と、前記概して円柱状の中心部に接続される第１および第２のテーパ部とを有する、繊維強化複合材料バルーンを製造する方法であって、
前記バルーンの前記長手方向軸に実質的に平行に延在する多倍長の単一の連続繊維を、前記概して円柱状の中心部に付けるステップと、
前記単一の連続繊維を前記第１および第２のテーパ部のうちの少なくとも１つに固定するステップと、を含む方法。
［形態４３］
前記固定するステップが、前記単一の連続繊維を前記第１および第２のテーパ部のうちの１つまたは両方の周りに半径方向に巻くステップを含む、形態４２に記載の方法。
［形態４４］
装置の異なる部分に長手方向に、かつ半径方向に付けられた単一の連続繊維を含む装置を備える、医療用器具。
［形態４５］
前記装置がバルーンを備える、形態４４に記載の器具。
［形態４６］
長手方向軸と第１および第２の開放端部を有するバルーンと、
前記バルーンに接続された単一の連続繊維であって、前記長手方向軸に概して平行に延在する第１の通過部と、前記第１の通過部に概して平行に延在する第２の通過部とを有する単一の連続繊維と、を備える、医療用器具。
［形態４７］
前記単一の連続繊維が前記バルーンの少なくとも一部に沿って半径方向に延在する、形態４６に記載の医療用器具。
［形態４８］
前記バルーンの少なくとも一部の上で半径方向に延在する第２の繊維をさらに含む、形態４６に記載の医療用器具。
［形態４９］
長手方向軸を有するバルーンであって、繊維層の一部の前記長手方向軸に実質的に平行に延在し、前記同様の繊維層の別の部分の前記長手方向軸を実質的に横切る方向に延在する、１つ以上の繊維を含む前記繊維層を含むバルーンを備える、医療用器具。
［形態５０］
前記バルーンは、概して円柱形状の部分であって、繊維が前記概して円柱形状の部分に沿って前記長手方向軸に並んで延在する概して円柱形状の部分と、
前記円柱形状の部分に接続された概してテーパ状の部分と、を備え、
繊維は前記テーパ部に沿って半径方向に延在する、形態４９に記載の器具。
［形態５１］
繊維ベース装置の異なる部分に長手方向に、かつ半径方向に単一の連続繊維を付けるステップを含む、繊維ベース装置を形成する方法。
［形態５２］
繊維ベース装置を形成する方法であって、単一の連続繊維を前記装置の一部分に長手方向に付け、かつ前記装置の別の部分に半径方向に付けるステップを含む、繊維ベース装置を形成する方法。